Podtech/llm-jp-corpus-v4-ja_patent huggingface dataset:
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
変速機用の遊星キャリアアセンブリであって、
キャリアプレートと一体であり且つ前記キャリアプレートから所定の距離だけ延びる複数のキャリア脚部を含む前記キャリアプレートを備える、粉末金属キャリア部材と、
カバープレートと一体であり且つ前記カバープレートから所定の距離だけ延びる複数のカバー脚部を有する前記カバープレートを備える、粉末金属カバー部材と、
少なくとも１つの補助構成部品と、
を備え、
前記キャリア脚部のそれぞれの端部と前記カバー脚部の端部とは、互いに整列させられており、且つ、互いに対して固定されており、さらに単一の平面内に配置されている蝋付け接合部によって固定されており、少なくとも１つの前記キャリア脚部又は前記カバー脚部は、蝋付け材料保持機構を画定する、
遊星キャリアアセンブリ。
【請求項２】
前記補助構成部品は、前記キャリア部材と前記カバー部材の一方又は両方に固定されているスリーブ部材を備える、
請求項１に記載の遊星キャリアアセンブリ。
【請求項３】
前記スリーブ部材に固定されているブレーキハブをさらに備える、
請求項２に記載の遊星キャリアアセンブリ。
【請求項４】
前記ブレーキハブの内周部が前記スリーブ部材の外周部に溶接されている、
請求項３に記載の遊星キャリアアセンブリ。
【請求項５】
前記キャリア部材と前記カバー部材は、同一の粉末金属組成を備える、
請求項１に記載の遊星キャリアアセンブリ。
【請求項６】
前記キャリア部材と前記カバー部材は、互いに異なる粉末金属組成を備える、
請求項１に記載の遊星キャリアアセンブリ。
【請求項７】
互いに離間した４つのキャリア脚部に接合されている互いに離間した４つのカバー脚部を備える、
請求項１に記載の遊星キャリアアセンブリ。
【請求項８】
自動変速機用のラビニヨ遊星キャリアアセンブリであって、
第１の組のピニオンギヤと、
第２の組のピニオンギヤと、
キャリアプレートから延びる複数の一体的なキャリア脚部を有するキャリアプレートを備える、単体の粉末金属キャリア部材と、
カバープレートから延びる複数の一体的なカバー脚部を有するカバープレートを備える、単体の粉末金属カバー部材と、
少なくとも１つの補助構成部品と、
を備え、
補助構成部品と前記キャリア脚部のそれぞれの端部と前記カバー脚部の端部とは、単一の平面内に位置している複数の蝋付け接合部によって、互いに整列させられており、且つ、互いに対して蝋付けされており、さらに少なくとも１つの前記キャリア脚部又は前記カバー脚部は、蝋付け材料保持機構を画定しており、前記粉末金属キャリア部材及び前記粉末金属カバー部材の整列は、前記第１の組のピニオンギヤ及び第２の組のピニオンギヤを収容するように構成された前記キャリアアセンブリの内部を画定する、
ラビニヨ遊星キャリアアセンブリ。
【請求項９】
前記補助構成部品は、前記キャリア脚部に固定されているスチール製のスリーブ部材を備える、
請求項８に記載のラビニヨ遊星キャリアアセンブリ。
【請求項１０】
前記キャリア脚部と前記カバー脚部は、それぞれの内側壁と外側壁を画定し、
整列させられたキャリア脚部とカバー脚部の前記内側壁の少なくとも一部分は、組み立てられた状態において、互いに面一である、
請求項８に記載のラビニヨ遊星キャリアアセンブリ。
【請求項１１】
２構成部品型のラビニヨ遊星キャリアアセンブリの組立方法であって
（１）キャリアプレートから延びる複数の一体的なキャリア脚部を有するキャリアプレートを備える粉末金属キャリア部材と、（２）カバープレートから延びる複数の一体的なカバー脚部を有するカバープレートを備える粉末金属カバー部材と、（３）補助構成部品とを、前記キャリア脚部のそれぞれの端部と前記カバー脚部の端部とを互いに整列させると共に単一の平面内に前記補助構成部品を整列させてサブアセンブリが形成されるように、整列させることと、
整列させる工程の間に、少なくとも１つの前記キャリア脚部又は前記カバー脚部に画定された蝋付け保持機構内に蝋付け材料を配置することと、
前記サブアセンブリを焼結することと、
を備える方法。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
建築物に使用される建築用部材において、
前記建築用部材の表面の全部又は一部にグラデーション模様が施された、
ことを特徴とする建築用部材。
【請求項２】
請求項１記載の建築用部材において、
建築用部材が金属製又は金属若しくは樹脂の表面に鍍金処理された材質製である、
ことを特徴とする建築用部材。
【請求項３】
請求項１又は請求項２記載の建築用部材において、
建築用部材がレバーハンドル、バー部材、ヒンジ部材、トイレットペーパーホルダー、蛇口、蝶番、つまみハンドル、引手のいずれかである、
ことを特徴とする建築用部材。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
回転駆動されるロータと、
径方向に往復動自在に前記ロータに設けられる複数のベーンと、
前記ロータの回転に伴って前記複数のベーンの先端部が摺接する内周カム面を有するカムリングと、
前記ロータ、前記カムリング、及び隣り合う前記ベーンによって画定されるポンプ室と、
前記カムリングに形成され、前記ポンプ室に作動流体を導く吸込ポートと、を備え、
前記吸込ポートは、前記内周カム面に開口する内側開口と、前記カムリングの外周面に開口する外側開口と、を有し、
前記内側開口の始端は、前記外側開口の始端と前記ロータの回転中心とを結ぶ第１仮想線よりも、回転方向前方に位置し、
前記内側開口の終端と前記外側開口の終端とを通る第２仮想線は、前記内側開口の始端と前記外側開口の始端とを通る第３仮想線に対して、前記内側開口から前記外側開口に向かうほど前記第２仮想線と前記第３仮想線とが離れるように傾斜していることを特徴とするベーンポンプ。
【請求項２】
前記内側開口の終端は、前記外側開口の終端と前記ロータの回転中心とを結ぶ第４仮想線よりも、回転方向後方に位置することを特徴とする請求項１に記載のベーンポンプ。
【請求項３】
前記内側開口の終端は、前記外側開口の終端と前記ロータの回転中心とを結ぶ第４仮想線よりも、回転方向前方に位置することを特徴とする請求項１に記載のベーンポンプ。
【請求項４】
前記吸込ポートは、前記外側開口から前記内側開口に亘って直線状に形成されることを特徴とする請求項１から３のいずれか１項に記載のベーンポンプ。
【請求項５】
前記吸込ポートは、前記外側開口から前記内側開口に向かうほど径方向に対する傾きが小さくなるように前記外側開口から前記内側開口に亘って湾曲して形成されることを特徴とする請求項１から３のいずれか１項に記載のベーンポンプ。
【手続補正２】
【補正対象書類名】明細書
【補正対象項目名】０００７
【補正方法】変更
【補正の内容】
【０００７】
第１の発明は、ロータと、複数のベーンと、カムリングと、ポンプ室と、吸込ポートと、を備える。吸込ポートは、カムリングの内周カム面に開口する内側開口と、カムリングの外周面に開口する外側開口と、を有する。内側開口の始端は、外側開口の始端とロータの回転中心とを結ぶ第１仮想線よりも、回転方向前方に位置し、内側開口の終端と外側開口の終端とを通る第２仮想線が、内側開口の始端と外側開口の始端とを通る第３仮想線に対して、内側開口から外側開口に向かうほど第２仮想線と第３仮想線とが離れるように傾斜していることを特徴とする。
【手続補正３】
【補正対象書類名】明細書
【補正対象項目名】０００８
【補正方法】変更
【補正の内容】
【０００８】
第１の発明では、内側開口の始端が、第１仮想線よりも、回転方向前方に位置する。そのため、吸込ポートにおける作動流体の流れは、外側開口の始端から内側開口の始端に亘って形成される壁部によって回転方向に向けられ、作動流体がポンプ室の前方部へ行き渡る。したがって、作動流体をポンプ室の容積に対して十分に供給することができる。また、第２仮想線は、内側開口から外側開口に向かうほど第３仮想線から離れるように第３仮想線に対して傾斜する。そのため、吸込ポートは、流路断面が内側開口から外側開口に向けて拡大するように形成され、作動流体がカムリングの外側から吸込ポートに流入する際に生じる作動流体の圧力損失を低減する。したがって、吸込ポートを通じてポンプ室に吸い込まれる作動流体の流量を増加させることができ、ベーンポンプの吸込特性を向上させることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第２の発明は、内側開口の終端が、外側開口の終端とロータの回転中心とを結ぶ第４仮想線よりも、回転方向後方に位置することを特徴とする。
【手続補正７】
【補正対象書類名】明細書
【補正対象項目名】００１２
【補正方法】変更
【補正の内容】
【００１２】
第２の発明では、内側開口の終端が、第４仮想線よりも、回転方向後方に位置する。そのため、吸込ポートは、流路断面が内側開口から外側開口に向けてより拡大するように形成され、作動流体がカムリングの外側から吸込ポートに流入する際に生じる作動流体の圧力損失をより低減する。したがって、吸込ポートを通じてポンプ室に吸い込まれる作動流体の流量をより増加させることができ、ベーンポンプの吸込特性を向上させることができる。
【手続補正８】
【補正対象書類名】明細書
【補正対象項目名】００１３
【補正方法】変更
【補正の内容】
【００１３】
第３の発明は、内側開口の終端が、外側開口の終端とロータの回転中心とを結ぶ第４仮
想線よりも、回転方向前方に位置することを特徴とする。
【手続補正９】
【補正対象書類名】明細書
【補正対象項目名】００１４
【補正方法】変更
【補正の内容】
【００１４】
第３の発明では、内側開口の終端が、第４仮想線よりも、回転方向前方に位置する。そのため、外側開口の終端から内側開口の終端に亘って形成される壁部は、回転方向に向けられた作動流体の流れを妨げない。吸込ポートにおいて作動流体の流れがより確実に回転方向に向けられ、作動流体がポンプ室の前方部へ行き渡る。したがって、作動流体をポンプ室の容積に対して十分に供給することができ、ベーンポンプの吸込特性を向上させることができる。
【手続補正１０】
【補正対象書類名】明細書
【補正対象項目名】００１５
【補正方法】変更
【補正の内容】
【００１５】
第４の発明は、吸込ポートが、外側開口から内側開口に亘って直線状に形成されることを特徴とする。
【手続補正１１】
【補正対象書類名】明細書
【補正対象項目名】００１６
【補正方法】変更
【補正の内容】
【００１６】
第４の発明では、吸込ポートが外側開口から内側開口に亘って直線状に形成される。そのため、例えば、ドリル加工又はエンドミル加工によって吸込ポートを形成すればよく、吸込ポートの形成に複雑な加工を必要としない。したがって、容易にベーンポンプの吸込特性を向上させることができる。
【手続補正１２】
【補正対象書類名】明細書
【補正対象項目名】００１７
【補正方法】変更
【補正の内容】
【００１７】
第５の発明は、吸込ポートが、外側開口から内側開口に向かうほど径方向に対する傾きが小さくなるように外側開口から内側開口に亘って湾曲して形成されることを特徴とする。
【手続補正１３】
【補正対象書類名】明細書
【補正対象項目名】００１８
【補正方法】変更
【補正の内容】
【００１８】
第５の発明では、吸込ポートが外側開口から内側開口に亘って湾曲して形成される。そのため、外側開口から内側開口に導かれる作動流体の流れの向きが緩やかに変化し、吸込ポートにおける圧力損失が低減する。したがって、ポンプ室に吸い込まれる作動流体の流量を増加させることができ、ベーンポンプの吸込特性を向上させることができる。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
メルトブロー弾性不織布であって、２３０℃および２．１６ｋｇの質量で１００ｇ／１０分を超えるメルトフローレートを有するスチレン系ブロックコポリマー繊維を含み、５０ｇ／ｍ２の前記メルトブロー弾性不織布が、７０％を超えるヒステリシス回復エネルギーおよび２０％未満の永久歪みと共に、２００％を超える伸びを示し、当該スチレン系ブロックコポリマーは、１８％から４５％の間のＰＳＣ、６５％から８０％のビニル含有量、および６０％から９７％のカップリング効率を有する、メルトブロー弾性不織布。
【請求項２】
スラッシュ成形、回転成形、射出成形またはカレンダー仕上げされた物品であって、２３０℃および２．１６ｋｇの質量で１００ｇ／１０分を超えるメルトフローレートを有するスチレン系ブロックコポリマーを含み、前記スチレン系ブロックコポリマーが、水素化スチレン−ブタジエン−スチレンまたは選択的に水素化された制御分布スチレン−ブタジエン／スチレン−スチレンであり、当該スチレン系ブロックコポリマーは、１８％から４５％の間のＰＳＣ、６５％から８０％のビニル含有量、および６０％から９７％のカップリング効率を有する、物品。
【請求項３】
２３０℃および２．１６ｋｇの質量で１００ｇ／１０分を超えるメルトフローレートを有するスチレン系ブロックコポリマーの水性エマルジョンであって、前記スチレン系ブロックコポリマーが、水素化スチレン−ブタジエン−スチレンまたは選択的に水素化された制御分布スチレン−ブタジエン／スチレン−スチレンであり、当該スチレン系ブロックコポリマーは、１８％から４５％の間のＰＳＣ、６５％から８０％のビニル含有量、および６０％から９７％のカップリング効率を有する、水性エマルジョン。
【請求項４】
繊維または繊維の束に結合されたスチレン系ブロックコポリマーで被覆されたこれらの繊維または繊維の束であって、前記スチレン系ブロックコポリマーが、２３０℃および２．１６ｋｇの質量で１００ｇ／１０分を超えるメルトフローレートを有し、前記スチレン系ブロックコポリマーが、選択的に水素化されたスチレン−ジエン−スチレンまたは選択的に水素化された制御分布スチレン−ジエン／スチレン−スチレンであり、ジエンは、ブタジエン、イソプレンまたはこれらの混合物であり、および前記繊維または繊維の束は、ガラス、炭素またはアラミド繊維であり、および場合により前記の選択的に水素化されたスチレン−ジエン−スチレンまたは選択的に水素化された制御分布スチレン−ジエン／スチレン−スチレンはマレイン酸変性されており、当該スチレン系ブロックコポリマーは、１８％から４５％の間のＰＳＣ、６５％から８０％のビニル含有量、および６０％から９７％のカップリング効率を有する、繊維または繊維の束。
【請求項５】
スラッシュ成形または回転成形された物品であって、当該物品は、スチレン系ブロックコポリマー、ポリ−１−ブテン、ポリプロピレンおよび鉱油を含む組成物を含み、当該スチレン系ブロックコポリマーは、２３０℃および２．１６ｋｇの質量で１００ｇ／１０分を超えるメルトフローレートを有し、かつ、水素化スチレン−ブタジエン−スチレンまたは選択的に水素化された制御分布スチレン−ブタジエン／スチレン−スチレンであり、当該スチレン系ブロックコポリマーは、１８％から４５％の間のＰＳＣ、６５％から８０％のビニル含有量、および６０％から９７％のカップリング効率を有する、物品。
【請求項６】
スラッシュ成形または回転成形組成物であって、当該組成物は、スチレン系ブロックコポリマー、ポリ−１−ブテン、ポリプロピレンおよび鉱油を含み、当該スチレン系ブロックコポリマーは、２３０℃および２．１６ｋｇの質量で１００ｇ／１０分から２２０ｇ／１０分のメルトフローレートを有し、かつ、選択的に水素化された制御分布スチレン−ブタジエン／スチレン−スチレンであり、当該スチレン系ブロックコポリマーは、４５，０００の直鎖の真の最小分子量；１８から４５％の間のＰＳＣ；６５から８０％のビニル含有量；および６０から９７％のカップリング効率を有し、当該ポリブタジエンは、少なくとも９０％水素化されている、組成物。
【請求項７】
請求項６に記載の成形組成物であって、当該組成物の１００重量％に基づいて、当該スチレン系ブロックコポリマーは５０から７０重量％の範囲で存在し、当該ポリ−１−ブテンは１０から１５重量％の範囲で存在し、当該ポリプロピレンは８から１１重量％の範囲で存在し、および当該鉱油は７から１０重量％の範囲で存在する、組成物。
【手続補正書】
【提出日】平成30年10月16日(2018.10.16)
【手続補正１】
【補正対象書類名】明細書
【補正対象項目名】０００４
【補正方法】変更
【補正の内容】
【０００４】
前記従来のＰＯＳシステムやプリンタでは、税抜額だけでなく税額がレシートに印刷されるものの、店員等のユーザが入力操作を行なうキーボード等の操作端末とレシートが印刷されて出力されるプリンタの位置とは別の位置になるため、ユーザが入力した税計算の内容が正しいかどうかを簡単に確認することができない。
【手続補正２】
【補正対象書類名】明細書
【補正対象項目名】００２３
【補正方法】変更
【補正の内容】
【００２３】
前記プリンタ付き電卓１０の電子回路は、コンピュータであるＣＰＵ（プロセッサ）２１を備えている。前記ＣＰＵ２１は、メモリ２２に記憶される計算機制御プログラムに従い回路各部の動作を制御し、前記キー入力部１１のユーザ操作に応じた各種の計算機能や計算データの印刷機能を実行する。
【手続補正３】
【補正対象書類名】明細書
【補正対象項目名】００５８
【補正方法】変更
【補正の内容】
【００５８】
この際、前記数値データ「２００」の入力と［ＴＡＸ＋］（税込計算）キー１１ｂの操作に応じて税込計算（税計算１）を実行し、当該税込計算（税計算１）の税計算印刷データである税抜額データ（入力データ）「２００．−Ｔ」と税率データ「８．％Ｔ」と税額データ「１６．Ｔ」と税込額データ（税計算１結果データ）「２１６．＋Ｔ」とを記録紙Ｐに印刷した後は、前記プリントモードＯＮの設定状態であっても、前記［ＴＡＸ＋］キー１１ｂあるいは［ＴＡＸ−］キー１１ｂが続けて操作されたことを、前記状態フラグが［税込計算の（税込額表示／税額表示）状態］や［税抜計算の（税抜額表示／税額表示）状態］で続いていることを判断して、前記図９（Ａ４）〜（Ａ６）で示したように、税額データ「１６」→税込額データ「２１６」→税抜額データ「２００」を表示させて確認する毎の印刷処理は行わない。よって、印刷をできるだけ少なくして節約することが可能になる。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
重力送り容器アセンブリであって、該重力送り容器アセンブリは、
取入口と、チャンバと、吐出口とを備える容器と、
前記吐出口を開閉すべく構成されたバルブであって、
前記容器に対するシールを形成すべく構成された環状部分と、
開き位置において当該バルブを流体が通過することを許容すべく構成されたリブもしくはパネルを備える基礎部分と、
を備える、というバルブと、
を備える、という重力送り容器アセンブリを備え、
前記リブもしくはパネルは、前記重力送り容器アセンブリの中心軸線から径方向外側に延在し、前記リブもしくはパネルは、前記重力送り容器アセンブリの中心軸線に沿って延在する、システム。
【請求項２】
前記バルブは、閉じ位置から開き位置へのみ移動すべく構成される、請求項１に記載のシステム。
【請求項３】
当該システムは、前記チャンバ内のフィルタ・アセンブリであって、スプレー材料を濾過すべく構成されたというフィルタ・アセンブリを備え、該フィルタ・アセンブリは、前記バルブを開き位置と閉じ位置との間で付勢すべく構成される、請求項１に記載のシステム。
【請求項４】
前記フィルタ・アセンブリは、外側リングと、該外側リングから前記バルブまで延在する支持アームを備え、
前記支持アームは、前記バルブを前記開き位置と閉じ位置との間で付勢すべく構成される、請求項３に記載のシステム。
【請求項５】
前記バルブは、前記容器がスプレー・デバイスに対して連結されたときに開くべく構成され、
前記フィルタ・アセンブリは、前記容器が前記スプレー・デバイスから接続解除されたときに前記バルブを閉じるべく構成される、請求項３に記載のシステム。
【請求項６】
前記容器は円錐形状の基部を備え、
前記フィルタ・アセンブリは、前記バルブが閉じ位置に在るときに前記円錐形状の基部上に着座する、請求項３に記載のシステム。
【請求項７】
前記円錐形状の基部と前記フィルタ・アセンブリとに連結されたスプリングであって、前記バルブを閉じ位置に向けて付勢すべく構成されたスプリングを備える、請求項６に記載のシステム。
【請求項８】
前記フィルタ・アセンブリ及び前記バルブは、一体片として相互に一体化されている、請求項３に記載のシステム。
【請求項９】
前記重力送り容器アセンブリは、前記容器のチャンバを覆うべく構成された蓋体を備える、請求項１に記載のシステム。
【請求項１０】
前記容器は、複数の容積目印を有する半透明もしくは透明な壁部を備える、請求項１に記載のシステム。
【請求項１１】
重力送り容器アセンブリ内のスプレー材料をフィルタ・アセンブリを介して濾過することと、
前記重力送り容器アセンブリ内のバルブであって、スプレー・デバイスに対する前記重力送り容器アセンブリの取付け時に前記閉じ位置から前記開き位置まで移動すべく構成されたバルブを、吐出口に対する開き位置から閉じ位置に向けて付勢することと、
前記バルブが開き位置にあるときに、前記バルブのリブもしくはパネルの間の流体の流れを可能にすることと有し、
前記リブもしくはパネルは、前記重力送り容器アセンブリの中心軸線から径方向外側に延在し、前記リブもしくはパネルは、前記重力送り容器アセンブリの中心軸線に沿って延在する、方法。
【請求項１２】
前記バルブを付勢することは、前記バルブを前記フィルタ・アセンブリを以て付勢することを有する、請求項１１に記載の方法。
【請求項１３】
前記バルブを前記フィルタ・アセンブリを以て付勢することは、前記バルブから前記フィルタ・アセンブリの外側リングまで延在する支持アームにより前記バルブを付勢することを有する、請求項１２に記載の方法。
【請求項１４】
前記バルブを付勢することは、前記容器及び前記フィルタ・アセンブリに連結されたスプリングにより前記バルブを付勢することを有する、請求項１１に記載の方法。
【請求項１５】
前記容器に対して蓋体を連結することを有する、請求項１１に記載の方法。
【請求項１６】
前記容器がスプレー・デバイスに対して取り付けられるときに前記開き位置に向けて前記バルブを自動的に付勢することを有する、請求項１１に記載の方法。
【請求項１７】
前記容器は、円錐状の底壁部を備え、
前記バルブは、前記円錐状の底壁部をシールすべく構成された円形部分を備え、
前記バルブは、前記円形部分に連結された基礎部分を備え、
前記基礎部分は、開き位置において当該バルブをスプレー材料が通過することを可能すべく構成された前記リブもしくはパネルを備える、請求項１１に記載の方法。
【請求項１８】
重力送り容器アセンブリであって、該重力送り容器アセンブリは、
スプレー塗料供給容器と、
前記スプレー塗料供給容器のチャンバであって、スプレー材料を保持すべく構成されたというチャンバを覆うべく構成された蓋体と、
前記チャンバ内で前記スプレー材料を濾過すべく構成された該チャンバ内のフィルタ・アセンブリと、
前記フィルタ・アセンブリに対して連結されたバルブであって、
前記容器に対するシールを形成すべく構成された環状部分と、
前記バルブが、前記スプレー塗料供給容器の吐出口に対する開き位置にあるときに、当該バルブを流体が通過することを許容すべく構成されたリブもしくはパネルを備える基礎部分とを備える、というバルブと、
を備え、
前記バルブは前記フィルタ・アセンブリを第1位置から第2位置まで移動させるべく構成され、前記第1位置は前記フィルタ・アセンブリが前記スプレー材料を濾過することを阻止し、且つ、前記第2位置は前記スプレー材料の濾過を可能とする、システム。
【請求項１９】
前記フィルタ・アセンブリは、外側リングから前記バルブまで延在する少なくとも一本の支持アームを備え、該少なくとも一本の支持アームは、前記バルブを閉じ位置に向けてスプリング付勢すべく構成される、請求項１８に記載のシステム。
【請求項２０】
前記フィルタ・アセンブリは、前記外側リングから前記バルブまで延在する円錐状の網体を備える、請求項１９に記載のシステム。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
遊技媒体を用いた遊技が行われる遊技機において、
当該遊技機の前面側を構成する前面部材と、
前記前面部材に形成された配置領域に対して脱着可能に設けられる特定部材と、
遊技に関する演出を制御する演出制御手段と、
を備え、
前記特定部材は、前記配置領域に配置された状態にて、前記演出制御手段から伝達される情報に基づいて所定の演出を行いうるものであり、
前記演出制御手段は、前記特定部材による所定の演出が不能である場合に特定の報知を実行する
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
しかしながら、従来と同等の構成の遊技機では、遊技興趣のさらなる向上を図ることが困難であった。
【手続補正４】
【補正対象書類名】明細書
【補正対象項目名】０００５
【補正方法】変更
【補正の内容】
【０００５】
本発明は、遊技興趣のさらなる向上を図ることが可能な遊技機を提供することにある。
【手続補正５】
【補正対象書類名】明細書
【補正対象項目名】０００７
【補正方法】変更
【補正の内容】
【０００７】
本発明は、
遊技媒体を用いた遊技が行われる遊技機において、
当該遊技機の前面側を構成する前面部材と、
前記前面部材に形成された配置領域に対して脱着可能に設けられる特定部材と、
遊技に関する演出を制御する演出制御手段と、
を備え、
前記特定部材は、前記配置領域に配置された状態にて、前記演出制御手段から伝達される情報に基づいて所定の演出を行いうるものであり、
前記演出制御手段は、前記特定部材による所定の演出が不能である場合に特定の報知を実行する
ことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
遊技興趣のさらなる向上を図ることが可能になる。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を行い、該抽選の結果に基づいて遊技者に利益を付与する遊技機であって、
遊技の進行を司る主制御手段と、
演出を制御する演出制御手段と、
遊技者による操作を検出可能な操作検出手段と、
を備え、
前記操作検出手段の検出情報は、前記主制御手段を介して前記演出制御手段に送信され、
前記演出制御手段は、前記主制御手段を介して前記演出制御手段に送信される前記検出情報に基づいて所定の遊技開始演出を実行するものであり、
前記遊技開始演出は、当該遊技機が待機状態にあるときに前記演出制御手段が前記検出情報を受けることに基づいて実行される
ことを特徴とする遊技機。
【手続補正２】
【補正対象書類名】明細書
【補正対象項目名】０００４
【補正方法】変更
【補正の内容】
【０００４】
しかしながら、従来と同等の構成の遊技機では、遊技興趣のさらなる向上を図ることが困難であった。
【手続補正３】
【補正対象書類名】明細書
【補正対象項目名】０００５
【補正方法】変更
【補正の内容】
【０００５】
本発明は、遊技興趣のさらなる向上を図ることが可能な遊技機を提供することにある。
【手続補正４】
【補正対象書類名】明細書
【補正対象項目名】０００７
【補正方法】変更
【補正の内容】
【０００７】
本発明は、
始動条件の成立に基づいて抽選を行い、該抽選の結果に基づいて遊技者に利益を付与する遊技機であって、
遊技の進行を司る主制御手段と、
演出を制御する演出制御手段と、
遊技者による操作を検出可能な操作検出手段と、
を備え、
前記操作検出手段の検出情報は、前記主制御手段を介して前記演出制御手段に送信され、
前記演出制御手段は、前記主制御手段を介して前記演出制御手段に送信される前記検出情報に基づいて所定の遊技開始演出を実行するものであり、
前記遊技開始演出は、当該遊技機が待機状態にあるときに前記演出制御手段が前記検出情報を受けることに基づいて実行される
ことを特徴とする遊技機（例えば段落０９３０等参照）。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
遊技興趣のさらなる向上を図ることが可能になる。
【手続補正書】
【提出日】平成30年7月4日(2018.7.4)
【手続補正１】
【補正対象書類名】明細書
【補正対象項目名】０００６
【補正方法】変更
【補正の内容】
【０００６】
上記した目的を達成するために、本発明の遊技機は、遊技の進行を制御する遊技制御処理を記述する使用領域と、前記遊技制御処理以外の別処理を記述する別領域とを区分したメモリをもつメイン制御手段を備え、遊技媒体の投入により遊技を可能にする遊技機において、前記別領域には、遊技媒体の不正投入を判定する不正判定処理を記述し、前記使用領域には、遊技媒体の正常投入を判定する正常投入判定処理を記述しており、前記使用領域から呼び出す前記別領域での前記不正判定処理の実行により遊技媒体の不正投入を検出したとき、不正投入を示すエラーデータをセットした後、前記別領域から前記使用領域にリターンさせ、前記使用領域にて前記不正投入を示すエラーデータを参照することにより所定のエラー処理を行い、前記使用領域から呼び出す前記別領域での前記不正判定処理の実行により遊技媒体の不正投入を検出しなかったとき、前記不正投入を示すエラーデータをセットすることなく前記使用領域にリターンさせ、前記使用領域にて前記正常投入判定処理の実行に基づいて遊技媒体の投入を検出し、遊技を進める仕様にしていることを特徴としている。
【手続補正２】
【補正対象書類名】明細書
【補正対象項目名】０００７
【補正方法】変更
【補正の内容】
【０００７】
また、遊技の進行を制御する遊技制御処理を記述する使用領域と、前記遊技制御処理以外の別処理を記述する別領域とを区分したメモリをもつメイン制御手段を備え、遊技媒体の投入により遊技を可能にする遊技機において、遊技媒体の払出を行うことが可能であり、
前記別領域には、遊技媒体の不正払出を判定する不正判定処理を記述し、前記使用領域には、遊技媒体の正常払出を判定する正常払出判定処理を記述しており、前記使用領域から呼び出す前記別領域での前記不正判定処理の実行により遊技媒体の不正払出を検出したとき、不正払出を示すエラーデータをセットした後、前記別領域から前記使用領域にリターンさせ、前記使用領域にて前記不正払出を示すエラーデータを参照することにより所定のエラー処理を行い、前記使用領域から呼び出す前記別領域での前記不正判定処理の実行により遊技媒体の不正払出を検出しなかったとき、前記不正払出を示すエラーデータをセットすることなく前記使用領域にリターンさせ、前記使用領域にて前記正常払出判定処理の実行に基づいて遊技媒体の払出を検出し、遊技を進める仕様にしてもよい。
【手続補正３】
【補正対象書類名】明細書
【補正対象項目名】０００８
【補正方法】変更
【補正の内容】
【０００８】
また、前記使用領域と前記別領域との間には、未使用領域を備えるとよい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００５０
【補正方法】変更
【補正の内容】
【００５０】
図３に示すように、メイン制御手段８０は、メインＣＰＵ６１と、レジスタセット６４と、ＲＡＭ６５と、ＲＯＭ６７とが一体的にワンチップ化されたマイクロプロセッサにより構成されている。
【手続補正１２】
【補正対象書類名】特許請求の範囲
【補正対象項目名】全文
【補正方法】変更
【補正の内容】
【特許請求の範囲】
【請求項１】
遊技の進行を制御する遊技制御処理を記述する使用領域と、前記遊技制御処理以外の別処理を記述する別領域とを区分したメモリをもつメイン制御手段を備え、遊技媒体の投入により遊技を可能にする遊技機において、
前記別領域には、遊技媒体の不正投入を判定する不正判定処理を記述し、
前記使用領域には、遊技媒体の正常投入を判定する正常投入判定処理を記述しており、
前記使用領域から呼び出す前記別領域での前記不正判定処理の実行により遊技媒体の不正投入を検出したとき、不正投入を示すエラーデータをセットした後、前記別領域から前記使用領域にリターンさせ、前記使用領域にて前記不正投入を示すエラーデータを参照することにより所定のエラー処理を行い、
前記使用領域から呼び出す前記別領域での前記不正判定処理の実行により遊技媒体の不正投入を検出しなかったとき、前記不正投入を示すエラーデータをセットすることなく前記使用領域にリターンさせ、前記使用領域にて前記正常投入判定処理の実行に基づいて遊技媒体の投入を検出し、遊技を進める仕様にしていることを特徴とする遊技機。
【請求項２】
遊技の進行を制御する遊技制御処理を記述する使用領域と、前記遊技制御処理以外の別処理を記述する別領域とを区分したメモリをもつメイン制御手段を備え、遊技媒体の投入により遊技を可能にする遊技機において、
遊技媒体の払出を行うことが可能であり、
前記別領域には、遊技媒体の不正払出を判定する不正判定処理を記述し、
前記使用領域には、遊技媒体の正常払出を判定する正常払出判定処理を記述しており、
前記使用領域から呼び出す前記別領域での前記不正判定処理の実行により遊技媒体の不正払出を検出したとき、不正払出を示すエラーデータをセットした後、前記別領域から前記使用領域にリターンさせ、前記使用領域にて前記不正払出を示すエラーデータを参照することにより所定のエラー処理を行い、
前記使用領域から呼び出す前記別領域での前記不正判定処理の実行により遊技媒体の不正払出を検出しなかったとき、前記不正払出を示すエラーデータをセットすることなく前記使用領域にリターンさせ、前記使用領域にて前記正常払出判定処理の実行に基づいて遊技媒体の払出を検出し、遊技を進める仕様にしていることを特徴とする遊技機。
【請求項３】
前記使用領域と前記別領域との間には、未使用領域を備えることを特徴とする請求項１または２に記載の遊技機。
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を行い、該抽選の結果に基づいて遊技者に利益を付与する遊技機であって、
遊技の進行を司る主制御手段と、
演出を制御する演出制御手段と、
遊技者による操作を検出可能な操作検出手段と、
を備え、
前記操作検出手段の検出情報は、前記主制御手段を介して前記演出制御手段に送信され、
前記演出制御手段は、前記主制御手段を介して前記演出制御手段に送信される前記検出情報に基づいて所定の遊技開始演出を実行する
ことを特徴とする遊技機。
【手続補正２】
【補正対象書類名】明細書
【補正対象項目名】０００４
【補正方法】変更
【補正の内容】
【０００４】
しかしながら、特許文献１に記載される遊技機においては、遊技興趣が低下することが懸念される。
【手続補正３】
【補正対象書類名】明細書
【補正対象項目名】０００５
【補正方法】変更
【補正の内容】
【０００５】
本発明は、このような事情に鑑みてなされたものであり、その目的とするところは、遊技者の遊技意欲の低下を抑制することができる遊技機を提供することにある。
【手続補正４】
【補正対象書類名】明細書
【補正対象項目名】０００７
【補正方法】変更
【補正の内容】
【０００７】
（解決手段１）
始動条件の成立に基づいて抽選を行い、該抽選の結果に基づいて遊技者に利益を付与する遊技機であって、
遊技の進行を司る主制御手段と、
演出を制御する演出制御手段と、
遊技者による操作を検出可能な操作検出手段と、
を備え、
前記操作検出手段の検出情報は、前記主制御手段を介して前記演出制御手段に送信され、
前記演出制御手段は、前記主制御手段を介して前記演出制御手段に送信される前記検出情報に基づいて所定の遊技開始演出を実行する
ことを特徴とする遊技機（例えば段落０９６５等参照）。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明の遊技機においては、遊技者の遊技意欲の低下を抑制することができる。
【手続補正書】
【提出日】平成30年3月27日(2018.3.27)
【手続補正１】
【補正対象書類名】明細書
【補正対象項目名】発明の名称
【補正方法】変更
【補正の内容】
【発明の名称】ワーク搬送パレット、および製造ライン
【手続補正２】
【補正対象書類名】明細書
【補正対象項目名】０００１
【補正方法】変更
【補正の内容】
【０００１】
本発明は、ワーク搬送パレット、および製造ラインに関する。
【手続補正３】
【補正対象書類名】明細書
【補正対象項目名】０１１８
【補正方法】変更
【補正の内容】
【０１１８】
ステップＳ９において、ロボット制御部２０は、ロボット１４を動作させて、ステップＳ８にてアンクランプされたワークを、ワーク搬送パレット５０から取り出す。具体的には、ロボット制御部２０は、ロボット１４のロボットハンド３４でワークを把持して持ち上げる。そして、ロボット制御部２０は、ステップＳ１へ戻り、持ち上げたワークを載置台５２に再度、載置する。
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
モータ（５０）に連結され、前記モータの駆動により回転する第１リンク部材（４１）と、
車室内の温度を調整するための空調用空気を車室内に吹き出す吹出口（２４）を開閉する開閉ドア（３６）に連結される第２リンク部材（４３）と、
固定部材（２０）に支持される回転軸（４２１）を有し、前記第１リンク部材及び前記第２リンク部材を連結する第３リンク部材（４２）と、
前記第１リンク部材の周囲を覆うように配置されるリンクカバー（４４）と、を備え、
前記リンクカバーには、
前記第３リンク部材に向かって突出する突出部（４５）が形成されている
リンク機構。
【請求項２】
前記開閉ドアは、
全閉位置から所定開度だけ開いた位置で保持されるものであり、
前記突出部は、
前記開閉ドアを前記所定開度で保持させる際に前記リンクカバーにおいて前記第３リンク部材に対向する部分に形成されている
請求項１に記載のリンク機構。
【請求項３】
前記第１リンク部材の回転方向における前記突出部の側壁（４４１ｂ，４４１ｃ）は、テーパ状に形成されている
請求項１又は２に記載のリンク機構。
【請求項４】
前記突出部において前記第３リンク部材に対向する対向面（４４１ａ）は、前記第３リンク部材において前記第１リンク部材に対向する対向面（４２３）に平行に形成されている
請求項１〜３のいずれか一項に記載のリンク機構。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上記課題を解決するために、リンク機構（４０）は、第１リンク部材（４１）と、第２リンク部材（４３）と、第３リンク部材（４２）と、リンクカバー（４４）とを備える。第１リンク部材は、モータ（５０）に連結され、モータの駆動により回転する。第２リンク部材は、車室内の温度を調整するための空調用空気を車室内に吹き出す吹出口（２４）を開閉する開閉ドア（３６）に連結される。第３リンク部材は、固定部材（２０）に支持される回転軸（４２１）を有し、第１リンク部材及び第２リンク部材を連結する。リンクカバーは、第１リンク部材の周囲を覆うように配置されている。リンクカバーには、第３リンク部材に向かって突出する突出部（４５）が形成されている。
【手続補正４】
【補正対象書類名】明細書
【補正対象項目名】００１１
【補正方法】変更
【補正の内容】
【００１１】
この構成によれば、開閉ドアに作用する風圧に基づいて第３リンク部材に外力が付与されることにより第３リンク部材の姿勢が傾いた場合でも、第３リンク部材が第１リンク部材の突出部又はリンクカバーの突出部に接触するため、第３リンク部材の傾きを抑制することができる。結果的に、第２リンク部材の位置ずれを抑制することができるため、開閉ドアの位置決め精度を向上させることができる。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
ワイヤを供給する通線機構と、
複数のガイドローラを備えたマルチワイヤユニットと、
前記マルチワイヤユニットをマルチワイヤユニット回転軸のまわりに回転する回転機構と、前記ワイヤを把持するワイヤ把持機構と、前記マルチワイヤユニット回転軸に平行な方向に前記マルチワイヤユニットを移動する駆動機構を有し、前記マルチワイヤユニットの前記複数のガイドローラへ前記マルチワイヤユニット回転軸に平行な方向に互いに離間して複数回並列にワイヤを巻きつけるワイヤ巻き付け機構と、
前記複数のガイドローラに巻き付けられたワイヤの並列部で構成されたワイヤ切断部と、
前記ワイヤ切断部に通電する通電機構と、
前記ワイヤ切断部で被加工物を放電加工する加工機構と、
前記マルチワイヤユニットを通過したワイヤを回収する回収ローラを有する回収機構と、
を備えたことを特徴とするワイヤ放電加工装置。
【請求項２】
前記通線機構から供給された前記ワイヤを受ける上部ノズルと、
前記上部ノズルからのワイヤを受ける下部ノズルと、
前記上部ノズルのワイヤ出口から下部ノズルのワイヤ入口に向け水流を噴出させる機構と、
を備えたことを特徴とする請求項１に記載のワイヤ放電加工装置。
【請求項３】
前記マルチワイヤユニットは、ワイヤ送り用ローラと前記下部ノズルとの間に設置され、
前記マルチワイヤユニットは、ワイヤ送り用ローラと独立して移動可能であることを特徴とする請求項２に記載のワイヤ放電加工装置。
【請求項４】
前記マルチワイヤユニットは、マルチワイヤユニット回転軸の周りに回転可能なベース板と、前記ベース板に装着された複数のガイドローラと、前記マルチワイヤユニット回転軸に固定されたプーリと、ワイヤ把持部とを備え、
前記プーリによって、前記マルチワイヤユニットは外部回転装置と連結可能であることを特徴とする請求項２または３に記載のワイヤ放電加工装置。
【請求項５】
前記ガイドローラの各軸中心が、マルチワイヤユニット回転軸の中心から等距離に配置されたことを特徴とする請求項４に記載のワイヤ放電加工装置。
【請求項６】
前記マルチワイヤユニットは、前記外部回転装置から伝達される動力による回転に同期して、１回転ごとに前記マルチワイヤユニット回転軸方向に一定のワイヤ並列ピッチ分を平行移動することを特徴とする請求項４または５に記載のワイヤ放電加工装置。
【請求項７】
前記マルチワイヤユニットは、前記ベース板にワイヤ把持機構を備えたことを特徴とする請求項４から６のいずれか１項に記載のワイヤ放電加工装置。
【請求項８】
前記ワイヤ把持機構は、前記マルチワイヤユニットによるワイヤ巻き掛け動作中においてワイヤを把持し、ワイヤ巻き掛け終了後は把持した前記ワイヤを開放することを特徴とする請求項７に記載のワイヤ放電加工装置。
【請求項９】
前記下部ノズルの下方に、ワイヤ回収用ローラを備えたことを特徴とする請求項２から８のいずれか１項に記載のワイヤ放電加工装置。
【請求項１０】
ワイヤを供給するワイヤ供給リールと、
前記ワイヤ供給リールから供給されたワイヤをガイドする複数のワイヤガイドリングを備えた通線機構と、
前記通線機構から供給された前記ワイヤを受ける上部ノズルと、
複数のガイドローラを備えたマルチワイヤユニットと、
前記マルチワイヤユニットの前記複数のガイドローラに互いに離間して複数回並列に巻き付けられたワイヤの並列部で構成されたワイヤ切断部と、
前記マルチワイヤユニットをマルチワイヤユニット回転軸のまわりに回転する回転機構と、
前記ワイヤガイドリングを通過した前記ワイヤを把持するワイヤ把持機構と、
前記マルチワイヤユニット回転軸と平行な方向へ前記マルチワイヤユニットを移動する駆動機構と、
前記上部ノズルから前記マルチワイヤユニットを経由したワイヤを受ける下部ノズルと、
前記ワイヤの先端を前記下部ノズルへ吸引する吸引機構と、
前記下部ノズルを通過したワイヤを回収する回収ローラを有する回収機構と、
を備えたことを特徴とするワイヤ放電加工装置。
【請求項１１】
前記ワイヤガイドリングは、上方に配置される前記ワイヤガイドリングほど内径が大きく、下方に設置される前記ワイヤガイドリングほど内径が小さく配置されたことを特徴とする請求項１０に記載のワイヤ放電加工装置。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
被検体に対しＸ線を照射するＸ線照射部と、
前記被検体と前記Ｘ線照射部の間に設けられ、開口領域外のＸ線を遮蔽するＸ線遮蔽部と、
前記被検体を透過したＸ線を検出する第１の検出領域を有する第１のＸ線検出部と、
前記第１の検出領域よりも小さい第２の検出領域を有する第２のＸ線検出部と、
前記開口領域の位置に基づいて、前記第２のＸ線検出部を移動させる駆動部と、
を具備することを特徴とするＸ線画像診断装置。
【請求項２】
被検体に対しＸ線を照射するＸ線照射部と、
前記被検体と前記Ｘ線照射部の間に設けられ、開口領域外のＸ線を減衰させるＸ線減衰部と、
前記被検体を透過したＸ線を検出する第１の検出領域を有する第１のＸ線検出部と、
前記第１の検出領域よりも小さい第２の検出領域を有する第２のＸ線検出部と、
前記開口領域の位置に基づいて、前記第２のＸ線検出部を移動させる駆動部と、
を具備することを特徴とするＸ線画像診断装置。
【請求項３】
前記第２のＸ線検出部は、前記第２の検出領域が前記第１の検出領域と重複するように重ねて取り付けられることを特徴とする請求項１または２に記載のＸ線画像診断装置。
【請求項４】
前記第２のＸ線検出部は、前記第１のＸ線検出部の内側に配置され、前記第１のＸ線検出部と一体となって取り付けられることを特徴とする請求項１または２に記載のＸ線画像診断装置。
【請求項５】
前記第２のＸ線検出部は、前記第１のＸ線検出部とは別体に配置され、前記第１のＸ線検出部と独立して移動可能であることを特徴とする請求項１または２に記載のＸ線画像診断装置。
【請求項６】
前記駆動部は、前記開口領域が形成する前記被検体の照射領域の中心座標と前記第２の検出領域の中心座標を一致させるよう前記第２のＸ線検出部を移動させることを特徴とする請求項１または２に記載のＸ線画像診断装置。
【請求項７】
前記駆動部は、前記開口領域が形成する前記被検体の照射領域に対して前記第２のＸ線検出部の移動距離が最短となるように、前記第２のＸ線検出部を移動させることを特徴とする請求項１または２に記載のＸ線画像診断装置。
【請求項８】
前記第２のＸ線検出部の移動は、オペレータからの入力に基づいて実行されることを特徴とする請求項１または２に記載のＸ線画像診断装置。
【手続補正２】
【補正対象書類名】明細書
【補正対象項目名】０００７
【補正方法】変更
【補正の内容】
【０００７】
上記目的を達成するために、実施形態のＸ線画像診断装置は、被検体に対しＸ線を照射するＸ線照射部と、前記被検体と前記Ｘ線照射部の間に設けられ、開口領域外のＸ線を遮蔽するＸ線遮蔽部と、前記被検体を通過したＸ線を検出する第１の検出領域を有する第１のＸ線検出部と、前記第１の検出領域よりも小さい第２の検出領域を有する第２のＸ線検出部と、前記開口領域の位置に基づいて、前記第２のＸ線検出部を移動させる駆動部とを具備することを特徴とする。
【手続補正書】
【提出日】平成30年4月9日(2018.4.9)
【手続補正１】
【補正対象書類名】明細書
【補正対象項目名】００２８
【補正方法】変更
【補正の内容】
【００２８】
【図１】針状凸部を有する経皮吸収シートの一部拡大図
【図２】別の形状の針状凸部を有する経皮吸収シートの一部拡大図
【図３】図１，２に示す経皮吸収シートの針状凸部の縦断面図
【図４】経皮吸収シートの全体斜視図
【図５】モールドの製造方法の工程図
【図６】モールド複合体の部分拡大図
【図７】弾性体としてコイルバネを用いた液充填装置の概略構成図
【図８】ノズルの構成を示す斜視図
【図９】弾性体として板バネを用いた液充填装置の概略構成図
【図１０】経皮吸収シートの製造方法のフロー図
【図１１】薬液をモールドの針状凹部に充填する工程を示す概略図
【図１２】液充填工程の充填動作でのノズルとモールドとの関係を説明する説明図
【図１３】液充填工程の移動動作でのノズルとモールドとの関係を説明する説明図
【図１４】薬液乾燥工程から基材液乾燥工程までを説明する説明図
【図１５】剥離工程を示す説明図
【図１６】別の剥離工程を示す説明図
【図１７】原版の平面図及び側面図
【図１８】実施例の結果を示す表図
【手続補正２】
【補正対象書類名】明細書
【補正対象項目名】０１２２
【補正方法】変更
【補正の内容】
【０１２２】
そして、図１４（Ａ）に示した薬液充填工程が完了すると、形成したい針形状の必要に応じて、薬液乾燥工程と２層目以降の充填工程とを繰り返し行った後、剥離工程に進む。例えば、図１４（Ｂ）〜図１４（Ｄ）に示すように、薬液２２を乾燥固化して薬剤を含む第１層１２０を針状凹部１５内に形成する薬液乾燥工程、薬剤を含む第１層１２０の上に薬剤を含まない基材液２４を塗布して基材液２４を針状凹部１５に充填する基材液充填工程、及び基材液２４を乾燥固化して第２層１２２を形成する基材液乾燥工程を行い、その後に図１５又は図１６の剥離工程に進む。図１５又は図１６における符号４０は、粘着性の粘着層が形成され、製造された経皮吸収シートをモールド１３から剥離する剥離用のシート状基材である。
【手続補正３】
【補正対象書類名】明細書
【補正対象項目名】０１３３
【補正方法】変更
【補正の内容】
【０１３３】
（液充填装置）
液充填装置は、モールド１３とノズル３４の充填移動方向（Ｘ軸方向）における相対位置座標を制御するＸ軸駆動部５４、ノズル３４をモールド１３の表面に対して上下動させるＺ軸駆動部５０、ノズル３４を取り付け可能な液供給装置３６（武蔵エンジニアリング社製超微量定量ディスペンサーＳＭＰ−３）、モールド１３を固定する吸引台５２、ノズル３４の押し込み力を測定するロードセル５３（共和電業製ＬＣＸ−Ａ−５００Ｎ）、を備えたものを基本構成とした。
【手続補正４】
【補正対象書類名】図面
【補正対象項目名】図１８
【補正方法】変更
【補正の内容】
【図１８】
2017080084.tif 000001